(57)【特許請求の範囲】
【請求項１】
高圧油路７と戻り油路８に接続された四方向三位置型の方向切換弁６により駆動制御される複動型の駆動シリンダＡと、この駆動シリンダＡの往動により体積減少され復動により体積増加される圧縮室１３を有し駆動シリンダＡに連動連結された増圧シリンダＢとを備え、前記増圧シリンダＢの圧縮室１３を、常時は圧縮室１３側への作動油の流入を許容し逆流は増圧シリンダＢの体積増加行程の終端でのみ可能な逆止弁１４を介して補給油路１５に接続してなる増圧装置において、
前記戻り油路８に低圧リリーフ弁１９を介装すると共に、前記補給油路１５を、切換弁２０を介して前記低圧リリーフ弁１９の前段の戻り油路８ａと、低圧リリーフ弁１９の後段の戻り油路８ｂまたは戻り油路８とは別のドレン油路とに選択的に接続可能に構成したことを特徴とする増圧装置。
【発明の詳細な説明】
【０００１】
【発明の属する技術分野】
本発明は、配電線工事における電線の圧着接続あるいは切断等に用いられる工具を駆動するための超高圧油を発生するための増圧装置に関するものである。
【０００２】
【従来の技術】
この種の増圧装置の従来例を図４に示す。図４において、増圧装置は、複動型の駆動シリンダＡと、この駆動シリンダＡの往動により体積減少され復動により体積増加される圧縮室を備え前記駆動シリンダＡに連動連結された増圧シリンダＢとを備えている。
【０００３】
前記駆動シリンダＡは、大径シリンダ１、この大径シリンダ１内に油密摺動自在に嵌挿され大径シリンダ１内を往動駆動側油室２と復動駆動側油室３に区画する大径ピストン４、および、その基端部を大径ピストン４に固着され前記復動駆動側油室３を通ってその先端部を大径シリンダ１外へ延出したピストンロッド５とから構成されている。
【０００４】
６は、駆動シリンダＡの往復動および停止を制御するための四方向三位置型の方向切換弁である。この方向切換弁６は、そのＰポートを高圧油路７（駆動圧油の供給源に接続された高圧油路）に接続され、そのＴポートを戻り油路８を介してタンクに接続している。また、方向制御弁６の一対の制御ポートは、それぞれ給排油路９，１０を介して駆動シリンダＡの往動駆動側油室２および復動駆動側油室３に接続している。
【０００５】
また、前記増圧シリンダＢは、駆動シリンダＡにおけるピストンロッド５の先端部（延出端部）に配置したピストン１１と、このピストン１１を油密摺動自在に受容する小径シリンダ１２とから構成されている。増圧シリンダＢは、そのピストン１１と小径シリンダ１２により画定される圧縮室１３を備えており、この圧縮室１３は、駆動シリンダＡの往動により体積減少され復動により体積増加されるようになっている。
【０００６】
増圧シリンダＢの圧縮室１３は、常時は圧縮室１３側への作動油の流入を許容し逆流は増圧シリンダＢの体積増加行程の終端（駆動シリンダＡの復動行程の終端）でのみ可能な逆止弁１４を介して補給油路１５に接続している。そして、補給油路１５は、増圧シリンダＢの小径シリンダ１２に外付けした補給用油溜１６に接続している。
増圧シリンダＢの圧縮室１３は、超高圧油路１７を介して工具１８（図示では圧着工具）に接続されている。
【０００７】
以上説明したように従来の増圧装置は、高圧油路７と戻り油路８に接続された四方向三位置型の方向切換弁６により駆動制御される複動型の駆動シリンダＡと、この駆動シリンダＡの往動により体積減少され復動により体積増加される圧縮室１３を有し前記駆動シリンダＡに連動連結された増圧シリンダＢとを備え、前記増圧シリンダＢの圧縮室１３を、常時は圧縮室１３側への作動油の流入を許容し逆流は増圧シリンダＢの体積増加行程の終端でのみ可能な逆止弁１４を介して補給油路１５に接続し、且つ、この補給油路１５を補給用油溜１６に接続して構成している。
【０００８】
このように構成した従来の増圧装置は、駆動シリンダＡを復動行程終端（増圧シリンダＢの体積増加行程終端）に位置させた状態（図４の状態）から、方向切換弁６のｅ位置への切り換えにより往動駆動すると、増圧シリンダＢの圧縮室１３の体積が減少するので、当該圧縮室１３内の作動油が増圧されるのである。この増圧された超高圧油は、超高圧油路１７を介して工具１８に送られて工具１８を圧着駆動するのである。工具１８に送られる作動油量の上限は、増圧シリンダＢを、その体積増加行程終端から体積減少行程終端まで駆動した場合の圧縮室１３の体積変化量となっている。
【０００９】
また、この状態（駆動シリンダＡが往動し且つ増圧シリンダＢの圧縮室１３の体積が減少しいる状態）から方向切換弁６をｆ位置に切り換えると、駆動シリンダＡが復動駆動されそれに伴い増圧シリンダＢの圧縮室１３の体積が増加するので、工具１８に作用していた超高圧が略大気圧まで低下する。この状態では、工具１８の圧着部が開放する（工具１８には、それに作用する油圧が大気圧近くになるとその圧着部を開放するためのバネが取り付けられている）。
【００１０】
なお、逆止弁１４は、駆動シリンダＡの復動行程、即ち、増圧シリンダＢの体積増加行程において、圧縮室１３の作動油不足により圧縮室１３が負圧になった場合に補給用油溜１６からの作動油の補給を確保するためのものである。更に、この逆止弁１４は、駆動シリンダＡの復動行程の終端、即ち、増圧シリンダＢの体積増加行程の終端で逆流（圧縮室１３から補給用油溜１６への作動油の流れ）を可能にしているが、これは、当該行程端において圧縮室１３内の作動油の抜圧を確保するためのものである。
方向切換弁６の中立位置ｇでは駆動シリンダＡは停止するようになっている。
【００１１】
【発明が解決しようとする課題】
上記の如く構成した従来の増圧装置は、簡単な構成でもって超高圧の作動油を得ることができるものであるが、工具１８に送られる作動油量の上限が、増圧シリンダＢを、その体積増加行程終端から体積減少行程終端まで駆動した場合の圧縮室１３の体積変化量となっているので、予圧のために大量の作動油量を必要とする工具には用いることができないという問題があった。
この発明は、上記従来の増圧装置の構成を一部変更することにより、駆動シリンダＡを駆動せずとも、駆動シリンダＡの駆動油圧を増圧シリンダＢの圧縮室１３に流入させてこの油圧により工具１８を予圧することができる増圧装置を提供し、予圧のために大量の作動油量を必要とする工具にも用いることができる増圧装置を提供しようとするものである。
【００１２】
【課題を解決するための手段】
本発明の増圧装置は上記の目的を達成するため以下の如く構成する。即ち、高圧油路７と戻り油路８に接続された四方向三位置型の方向切換弁６により駆動制御される複動型の駆動シリンダＡと、この駆動シリンダＡの往動により体積減少され復動により体積増加される圧縮室１３を有し駆動シリンダＡに連動連結された増圧シリンダＢとを備え、前記増圧シリンダＢの圧縮室１３を、常時は圧縮室１３側への作動油の流入を許容し逆流は増圧シリンダＢの体積増加行程の終端でのみ可能な逆止弁１４を介して補給油路１５に接続してなる増圧装置において、前記戻り油路８に低圧リリーフ弁１９を介装すると共に、前記補給油路１５を、切換弁２０を介して前記低圧リリーフ弁１９の前段の戻り油路８ａと、低圧リリーフ弁１９の後段の戻り油路８ｂまたは戻り油路８とは別のドレン油路とに選択的に接続可能に構成したことを特徴とする増圧装置。
【００１３】
上記の如く構成した本発明の増圧装置は、戻り油路８に低圧リリーフ弁１９を介装すると共に、従来の増圧装置が補給用油溜１６に接続していた補給油路１５を、切換弁２０を介して前記低圧リリーフ弁１９の前段の戻り油路８ａと、低圧リリーフ弁１９の後段の戻り油路８ｂまたは戻り油路８とは別のドレン油路とに選択的に接続可能に構成したので、切換弁２０をして補給油路１５を低圧リリーフ弁１９の前段の戻り油路８ａに接続すると、低圧リリーフ弁１９により圧を制御された駆動シリンダＡの駆動油圧が、補給油路１５および逆止弁１４を介して増圧シリンダＢの圧縮室１３に流入し、この流入油圧により工具１８を予圧することができるのである。予圧した後は従来の増圧装置と同様に操作して駆動シリンダＡを往動駆動（圧縮室１３の体積を減少するよう駆動）して、工具１８に超高圧油を送るのである。また、駆動シリンダＡを復動駆動（圧縮室１３の体積を増加するよう駆動）して工具１８に対する超高圧を抜圧するのである。この場合、切換弁２０をして補給油路１５を低圧リリーフ弁１９の後段の戻り油路８ｂまたは戻り油路８とは別のドレン油路に接続しておけば良い。
【００１４】
【発明の実施の形態】
以下本発明の増圧装置の発明の実施の形態を図１〜図３に基づいて説明する。本発明の増圧装置は、図４に示し上述した従来の増圧装置に比較すると、従来の増圧装置においては、逆止弁１４（常時は圧縮室１３側への作動油の流入を許容し逆流は増圧シリンダの体積増加行程の終端でのみ可能なよう構成した逆止弁）を介して増圧シリンダＢの圧縮室１３に接続した補給油路１５を、補給用油溜１６に接続していたが、本発明の増圧装置においては、戻り油路８に低圧リリーフ弁１９を介装すると共に、補給油路１５を、切換弁２０を介して低圧リリーフ弁１９の前段の戻り油路８ａと、低圧リリーフ弁１９の後段の戻り油路８ｂまたは戻り油路８とは別のドレン油路とに選択的に接続可能に構成したところが異なっている。従って、以下の説明においては、この相違点以外の構成並びに作用については、上述した従来の増圧装置の説明を援用する。
【００１５】
図１において、１９は、方向切換弁６からの戻り油路８に介装した低圧リリーフ弁である。２０は、低圧リリーフ弁１９の前段の戻り油路８ａ、低圧リリーフ弁１９後段の戻り油路８ｂ、および補給油路１５との間に介装された切換弁であって、この切換弁２０は、補給油路１５を低圧リリーフ弁１９の前段の戻り油路８ａに接続した切換位置ａと、補給油路１５を低圧リリーフ弁１５の後段の戻り油路８ｂに接続した切換位置ｂとを備えている。即ち、補給油路１５は、切換弁２０を介して前記低圧リリーフ弁１５の前段の戻り油路８ａと、低圧リリーフ弁１５の後段の戻り油路８ｂとに選択的に接続可能に構成されているのである。方向切換弁６および切換弁２０は適宜の切換手段により切り換えるようにすれば良い。上記の実施例では、方向切換弁６および切換弁２０は、電磁切換弁として示されているが、この場合、適宜の電気回路により切り換え制御できるようにすれば良い。
【００１６】
次に作用を説明する。切換弁２０を切換位置ａに切り換えて、補給油路１５を低圧リリーフ弁１９の前段の戻り油路８ａに接続すると、低圧リリーフ弁１９により圧を制御された駆動シリンダＡの駆動油圧が、補給油路１５および逆止弁１４を介して増圧シリンダＢの圧縮室１３に流入し、この流入油圧により工具１８を予圧することができるのである。この予圧により工具１８は、その圧着部が被加工物に接触するまで低圧で駆動されるのである。予圧した後は従来の増圧装置と同様に操作して駆動シリンダＡを往動駆動（圧縮室１３の体積を減少するよう駆動）して、工具１８に超高圧油を送るのである。
【００１７】
また、駆動シリンダＡを復動駆動（圧縮室１３の体積を増加するよう駆動）して工具１８に対する超高圧を抜圧するのである。この場合、切換弁２０を切換位置ｂに切り換え補給油路１５を低圧リリーフ弁１９の後段の戻り油路８ｂに接続しておくことで、圧縮室１３の抜圧を保証するのである。
【００１８】
なお、上記の実施例では、切換弁２０はその切換位置ｂで、補給油路１５を低圧リリーフ弁１９の後段の戻り油路８ｂに接続するようにしたが、該当する戻り油路８には、駆動シリンダＡ駆動油の還流抵抗による圧が発生していることがあり、この圧が圧縮室１３からの抜圧の妨げになる場合がある。このよう場合には、切換弁２０は、その切換位置ｂにおいて補給油路１５を戻り油路８とは別のドレン油路（タンクに接続したドレン油路）（図示せず）に接続するようにし、圧縮室１３からの抜圧を確実にすれば良い。
【００１９】
さらに、上記の実施例では切換弁２０を、切換位置ａおよび切換位置ｂを備えた二位置切換弁としたが、図２に示す如く、切換位置ａおよび切換位置ｂに加えて補給油路１５を遮断する切換位置ｃを追加した切換弁２０ａとしても良い。この場合、工具１８の圧着部を被加工物に対して任意の近接度合いに停止させることができるので、圧着位置合わせの作業が容易になるという効果がある。
【００２０】
なお、上記説明では、工具１８に作用していた作動圧が略大気圧まで降下すると、工具１８の圧着部が開放するよう工具１８にはバネが介装されているものとして説明している。このような圧着作動時だけ作動圧を作用させる単動型と共に、圧着部の開放に際しては逆方向に作動圧をかける複動型の工具１８ａも考えられる。
この複動型の工具１８ａを用いる場合でも、図３で示すように、給排油路１０から分岐した油路２１を工具１８ａの開放側油室へ接続することにより、本願の増圧装置は、簡単に複動型の工具１８ａに適応できる。
【００２１】
【発明の効果】
本発明の増圧装置は、高圧油路７と戻り油路８に接続された四方向三位置型の方向切換弁６により駆動制御される複動型の駆動シリンダＡと、この駆動シリンダＡの往動により体積減少され復動により体積増加される圧縮室１３を有し駆動シリンダＡに連動連結された増圧シリンダＢとを備え、前記増圧シリンダＢの圧縮室１３を、常時は圧縮室１３側への作動油の流入を許容し逆流は増圧シリンダＢの体積増加行程の終端でのみ可能な逆止弁１４を介して補給油路１５に接続してなる増圧装置において、前記戻り油路８に低圧リリーフ弁１９を介装すると共に、前記補給油路１５を、切換弁２０を介して低圧リリーフ弁１９の前段の戻り油路８ａと、低圧リリーフ弁１９の後段の戻り油路８ｂまたは戻り油路８とは別のドレン油路とに選択的に接続可能に構成したので、極めて簡単な構成でありながら、駆動シリンダＡの駆動油圧を増圧シリンダＢの圧縮室１３に流入させてこの油圧により工具１８を予圧することができるので、予圧のために大量の作動油量を必要とする工具にも用いることができるという効果を持つものである。
【図面の簡単な説明】
【図１】  本発明に係る増圧装置の実施例の説明図である。
【図２】  本発明に係る増圧装置の他の実施例の説明図である。
【図３】  本発明に係る増圧装置の複動型の工具使用の場合の実施例の説明図である。
【図４】  従来の増圧装置の説明図である。
【符号の説明】
Ａ；駆動シリンダ、１；大径シリンダ、２；往動駆動側油室、３；復動駆動側油室、４；大径ピストン、５；ピストンロッド、６；方向切換弁（四方向三位置型）、ｅ，ｆ；切換位置、ｇ；中立位置、７；高圧油路、８；戻り油路、８ａ；前段の戻り油路、８ｂ；後段の戻り油路、９，１０；給排油路、Ｂ；増圧シリンダ、１１；ピストン、１２；小径シリンダ、１３；圧縮室、１４；逆止弁、１５；補給油路、１６；補給用油溜、１７；超高圧油路、１８、１８ａ；工具、１９；低圧リリーフ弁、２０，２０ａ；切換弁、ａ，ｂ，ｃ；切換位置、２１；給排油路１０の分岐した油路
【図１】
0003678507.tif 000002
【図２】
0003678507.tif 000003
【図３】
0003678507.tif 000004
【図４】
0003678507.tif 000005